(57)【要約】【課題】リールやストップボタン等の、一列に配列される可動物の位置を、従来よりも簡素な構成によって検知可能な遊技機を提供する。【解決手段】一列に配列された複数の可動物７ａ〜７ｃの配列の一端側から他端側に向けて光Ｌ２を照射する光源５５を配設し、複数の可動物７ａ〜７ｃの配列の他端側に光センサ５７を配設する。また、各可動物７ａ〜７ｃに、光源５５の照射光Ｌ２の透過特性の相違する指標部４６ａ〜４６ｃを配設して、各可動物７ａ〜７ｃを、照射光Ｌ２の経路に指標部４６ａ〜４６ｃが配置される進入位置Ｒと、照射光Ｌ２の経路から指標部４６ａ〜４６ｃが退避する退避位置Ｓとに変換可能に構成する。そして、進入位置Ｒに位置する可動物７ａ〜７ｃの組合せ毎に、光センサ５７が異なる分光分布の照射光Ｌ２を受光して、異なる態様の信号を出力するよう構成する。【選択図】図１２
2018175446.tif 000002
【特許請求の範囲】
【請求項１】
一列に配列されるとともに、個別に移動可能に配設された複数の可動物と、
前記複数の可動物の配列の一端側から他端側に向けて光を照射する光源と、
前記複数の可動物の配列の他端側に配設されて、前記光源の照射光を受光するよう配置された光センサと
を備え、
前記各可動物は、前記光源の照射光を減衰させる指標部を夫々備え、前記光源から前記光センサへの前記照射光の経路に前記指標部が配置される進入位置と、前記照射光の経路から前記指標部が退避する退避位置とに変換可能に構成されており、
前記指標部は、前記光源の前記照射光の透過特性が前記可動物毎に相違しており、
前記進入位置に位置する前記可動物の組合せ毎に、前記光センサが受光する前記照射光の分光分布が相違するよう構成されており、
前記光センサは、前記進入位置に位置する前記可動物の組合せ毎に、異なる態様の信号を出力するよう構成されていることを特徴とする遊技機。
【請求項２】
前記各可動物は、保持部材に対して移動可能に保持されており、
前記光源と、前記光センサと、前記保持部材とは、夫々独立して、前記遊技機本体に着脱可能に配設されていることを特徴とする請求項１に記載の遊技機。
【請求項３】
前記各可動物はリールであり、
該リールは、回転軸部と、外周部と、該回動軸部と該外周部を連繋する連繋部とを備えており、
前記各指標部は、前記外周部の内方に配設され、前記光源の前記照射光を、夫々の前記指標部で相違する特定帯域において、他の前記指標部よりも大きく減衰させるよう構成されており、
前記連繋部の、前記光源から前記光センサへの前記照射光の経路に配置され得る部分は、当該照射光を透過させ得る材料で形成されており、当該照射光の前記特定帯域を減衰させる度合いが、当該特定の帯域を大きく減衰させる前記指標部よりも小さいことを特徴とする請求項１又は請求項２に記載の遊技機。
【請求項４】
少なくとも１つの前記リールは、前記連繋部及び前記指標部が、透過する前記照射光を集束させ得る形状をなしていることを特徴とする請求項３に記載の遊技機。
【請求項５】
前記各可動物は、操作ボタンであり、
該操作ボタンは、付勢手段によって遊技機本体の前面に突出する非操作位置に付勢されるとともに、該付勢手段の付勢力に抗して押圧操作することで、該非操作位置から所定の操作位置まで移動させ得るように配設されており、
前記操作ボタンの前記非操作位置は前記退避位置であり、前記操作ボタンの前記操作位置は前記進入位置であることを特徴とする請求項１又は請求項２に記載の遊技機。
【発明の詳細な説明】
【技術分野】
【０００１】
本発明は、一列に配列される複数の可動物と、各可動物が所定位置に位置するか否かを検知する検知手段とを備える遊技機に関する。
【背景技術】
【０００２】
スロットマシン等の遊技機には、複数のリールが横並びに配設される。各リールは、左右の回転軸を中心に回転可能に保持されており、ステッピングモータ等によって駆動され、任意の回転位置で停止させ得るよう構成されている。また、機体の前面には、リールの停止操作に用いる複数のストップボタンが横並びに配設される。ストップボタンは、リールの数だけ横並びに配設されており、右端のストップボタンを押圧操作すると、右端のリールが回転停止するといった具合に、個々のストップボタンが、別々のリールを停止させるための操作ボタンとなっている。
【０００３】
こうした従来の遊技機は、リールの基準位置を検知するために、リールに指標部（インデックス）を配設して、リールが基準位置にあるときにセンサ（インデックスセンサ）が指標部を検知するよう構成されている（例えば、特許文献１）。また、ストップボタンについても、その押圧操作を検知するために、ストップボタンに指標部（押ボタン被検知部）を配設して、ストップボタンが遊技機の内側に押し込まれたときに、センサで指標部を検知するよう構成されている（例えば、特許文献２）。
【先行技術文献】
【特許文献】
【０００４】
【特許文献１】特開２０１１−１６０８４３号公報  段落［００２８］，図５
【特許文献２】特開２０１５−１３０９３１号公報  段落［００２５］，図５
【発明の概要】
【発明が解決しようとする課題】
【０００５】
上述のように、従来の遊技機では、リールやストップボタンが所定位置に位置しているか否かを、センサによって検知している。しかしながら、従来構成では、かかるセンサがリールやストップボタンの一つ一つに配設されているため、リールやストップボタン等の位置検知に係る構成が複雑となっている。
【０００６】
本発明は、かかる現状に鑑みて為されたものであり、リールやストップボタン等の可動物の位置を、従来よりも簡素な構成によって検知可能な遊技機の提供を目的とする。
【課題を解決するための手段】
【０００７】
本発明は、一列に配列されるとともに、個別に移動可能に配設された複数の可動物と、前記複数の可動物の配列の一端側から他端側に向けて光を照射する光源と、前記複数の可動物の配列の他端側に配設されて、前記光源の照射光を受光するよう配置された光センサとを備え、前記各可動物は、前記光源の照射光を減衰させる指標部を夫々備え、前記光源から前記光センサへの前記照射光の経路に前記指標部が配置される進入位置と、前記照射光の経路から前記指標部が退避する退避位置とに変換可能に構成されており、前記指標部は、前記光源の前記照射光の透過特性が前記可動物毎に相違しており、前記進入位置に位置する前記可動物の組合せ毎に、前記光センサが受光する前記照射光の分光分布が相違するよう構成されており、前記光センサは、前記進入位置に位置する前記可動物の組合せ毎に、異なる態様の信号を出力するよう構成されていることを特徴とする遊技機である。ここで、光源の照射光は、可視光に限定されず、不可視光（赤外光や紫外光）を含むものであってもよいし、不可視光のみからなるものであってもよい。
【０００８】
かかる構成にあっては、配列される可動物の数に関わらず、一組の光源と光センサによって全ての可動物の位置検知が可能であるため、複数の可動物の位置検知に係る回路や配線を集約して簡素化できるという利点がある。
【０００９】
本発明にあっては、前記各可動物は、保持部材に対して移動可能に保持されており、前記光源と、前記光センサと、前記保持部材とは、夫々独立して、前記遊技機本体に着脱可能に配設されていることが提案される。
【００１０】
可動物は交換修理やリサイクルの際に取り外される頻度が高い部品である。かかる構成にあっては、光源や光センサ、また、それらに係る配線を遊技機本体に装着したまま、可動物を遊技機本体から取り外すことができるため、従来構成に比べて可動物の着脱が容易となる。また、かかる構成とすれば、可動物の着脱に際して、光源や光センサに係る配線の抜き差しが不要となるため、光源や光センサに係る配線に不具合が生じ難いという利点もある。
【００１１】
また、本発明にあっては、前記各可動物はリールであり、該リールは、回転軸部と、外周部と、該回動軸部と該外周部を連繋する連繋部とを備えており、前記各指標部は、前記外周部の内方に配設され、前記光源の前記照射光を、夫々の前記指標部で相違する特定帯域において、他の前記指標部よりも大きく減衰させるよう構成されており、前記連繋部の、前記光源から前記光センサへの前記照射光の経路に配置され得る部分は、当該照射光を透過させ得る材料で形成されており、当該照射光の前記特定帯域を減衰させる度合いが、当該特定の帯域を大きく減衰させる前記指標部よりも小さいことが提案される。
【００１２】
かかる構成にあっては、光センサが受光する光の強度を、各指標部に係る特定帯域毎に検知させることで、進入位置に位置する可動物の組合せ毎に異なる態様の信号を、光センサが容易に出力することが可能となる。また、可動物がリールの場合には、リールの連繋部が、光源から光センサへの照射光の経路と全く交わらないように構成することは難しいが、かかる構成では、連繋部は、各指標部に係る特定帯域を大きくは減衰させないため、各指標部に係る特定帯域の光の強さを光センサに検知させることで、連繋部における減衰と、指標部における減衰を判別して、光センサの出力信号に反映させることができる。したがって、かかる構成とすれば、本発明をリールに好適に適用可能となる。さらに言えば、連繋部の、光源から光センサへの照射光の経路に配置され得る部分は、当該照射光を、各指標部に係る特定帯域で減衰させない材料で形成することが好ましい。かかる構成とすれば、当該照射光の経路を連繋部が横切る際に、光センサの受光する照射光が変動しないため、リールの回転位置を容易に検知可能となる。
【００１３】
また、上記構成にあっては、少なくとも１つの前記リールは、前記連繋部及び前記指標部が、透過する前記照射光を集束させ得る形状をなしていることが提案される。かかる構成にあっては、光源から光センサへの照射光の強度が、塵埃などの外部要因によって低下してしまうのを抑制できる。
【００１４】
また、本発明にあっては、前記各可動物は、操作ボタンであり、該操作ボタンは、付勢手段によって遊技機本体の前面に突出する非操作位置に付勢されるとともに、該付勢手段の付勢力に抗して押圧操作することで、該非操作位置から所定の操作位置まで移動させ得るように配設されており、前記操作ボタンの前記非操作位置は前記退避位置であり、前記操作ボタンの前記操作位置は前記進入位置であることが提案される。かかる構成とすれば、本発明をストップボタン等の操作ボタンに好適に適用できる。
【図面の簡単な説明】
【００１５】
【図１】スロットマシン１の正面図である。
【図２】前扉３を開放した状態のスロットマシン１の斜視図である。
【図３】リールユニット１０の斜視図である。
【図４】リール装置１５ａ〜１５ｃの右側面図であり、（ａ）はリール９ａ〜９ｃが非基準位置Ｑにある状態を示し、（ｂ）はリール９ａ〜９ｃが基準位置Ｐにある状態を示す。
【図５】リールユニット１０、基準位置検知用光源３５、及び基準位置検知装置３６の、筐体２への取付態様を示す説明図である。
【図６】筐体２に、リールユニット１０と基準位置検知用光源３５と基準位置検知装置３６とを取り付けた状態の正面図である。
【図７】リール９ａ〜９ｃの回転位置と、基準位置検知信号との関係を示す図表である。
【図８】リール９ａ〜９ｃの回転制御に係る回路を示すブロック図である。
【図９】ストップボタンユニット４０の前扉３への取付態様を示す説明図である。
【図１０】ストップボタンユニット４０の分解斜視図である。
【図１１】ボタンホルダ４３及びコイルバネ４５を横断して示すボタン装置４２ａ〜４２ｃの断面図であり、（ａ）はストップボタン７ａ〜７ｃが非操作位置Ｓにある状態を示し、（ｂ）はストップボタン７ａ〜７ｃが操作位置Ｒにある状態を示す。
【図１２】ストップボタンユニット４０の平面図であり、（ａ）は全てのストップボタン７ａ〜７ｃが非操作位置Ｓにある状態を示し、（ｂ）は中ストップボタン７ｂのみが操作位置Ｒにある状態を示し、（ｃ）は全てのストップボタン７ａ〜７ｃが操作位置Ｒにある状態を示す。
【図１３】ストップボタン７ａ〜７ｃの位置と、操作位置検知信号との関係を示す図表である。
【図１４】ストップボタン７ａ〜７ｃの制御に係る回路を示すブロック図である。
【図１５】（ａ）は変形例の左リール９ｄの側面図であり、（ｂ）は、（ａ）中のＡ−Ａ線断面図である。
【発明を実施するための形態】
【００１６】
本発明をスロットマシンに適用した実施形態を、以下の実施例に従って説明する。
なお、下記実施例にあっては、本発明に係る複数の可動物が二組設けられる。一組目は、一列に配列された３つのリール９ａ〜９ｃであり、二組目は、一列に配列された３つのストップボタン７ａ〜７ｃである。リール９ａ〜９ｃに関しては、各リール９ａ〜９ｃの基準位置指標部１６ａ〜１６ｃが本発明に係る指標部に相当し、リール９ａ〜９ｃの基準位置Ｐが進入位置に、非基準位置Ｑが退避位置に相当する。そして、リール９ａ〜９ｃの右端側に配設される基準位置検知用光源３５が本発明に係る光源に、リール９ａ〜９ｃの左端側に配設されるカラーセンサ３７が本発明に係る光センサに相当する。また、ストップボタン７ａ〜７ｃに関しては、各ストップボタン７ａ〜７ｃの操作位置指標部４６ａ〜４６ｃが本発明に係る指標部に相当し、ストップボタン７ａ〜７ｃの操作位置Ｒが進入位置に、非操作位置Ｓが退避位置に相当する。そして、ストップボタン７ａ〜７ｃの右端側に配設される操作位置検知用光源５５が本発明に係る光源に、ストップボタン７ａ〜７ｃの左端側に配設されるカラーセンサ５７が本発明に係る光センサに相当する。
【００１７】
図１，２に示すように、本実施例のスロットマシン１の遊技機本体は、前方に開放された筐体２と、該筐体２を前方から覆う前扉３とにより構成される。筐体２の前面中央部には、筐体２の内部を視認可能とする表示窓４が設けられる。また、前扉３の前面側には、遊技操作に用いる操作ボタンや操作レバーが表示窓４の下方に配設される。具体的には、前扉３の前面側には、賭数を設定するための２つのベットボタン５と、リール９ａ〜９ｃを始動させるためのスタートレバー６と、リール９ａ〜９ｃを停止させるための３つのストップボタン７ａ〜７ｃと、クレジットを精算するための精算ボタン８が配設される。３つのストップボタン７ａ〜７ｃは、同形状のものが左右方向に一列に配設される。
【００１８】
図１，２に示すように、筐体２の内部は、前扉３を手前に枢動させることで開放可能となっている。筐体２の内部には、左リール９ａ、中リール９ｂ、右リール９ｃの３つのリールが左右方向に一列に配設される。各リール９ａ〜９ｃの外周面には図柄１２が設けられており、前扉３の表示窓４から、各リール９ａ〜９ｃの正面側の図柄１２を視認可能となっている。なお、３つのリール９ａ〜９ｃは、後述するリールユニット１０に保持された状態で、筐体２の内部に収容されている。また、前扉３の背面側には、スピーカ１１などが配設される。また、筐体２の内部には、リール９ａ〜９ｃの上方にメイン制御装置２０やサブ制御装置２１が設置される。これらの制御装置２０，２１は、マイクロコンピュータ等を実装したプリント基板からなるものであり、ケースに収容された状態で設置されている。また、リール９ａ〜９ｃの下方には、ホッパーユニット１８や電源装置２４が配設される。電源装置２４は、各種の制御装置やデバイスに電力を供給するものである。
【００１９】
図３は、筐体２の内部に収容されるリールユニット１０の斜視図である。リールユニット１０は、左リール９ａを回転させるリール装置１５ａと、中リール９ｂを回転させるリール装置１５ｂと、右リール９ｃを回転させるリール装置１５ｃとを一体化したものであり、各リール９ａ〜９ｃは、夫々のリール装置１５ａ〜１５ｃによって個別に回転可能に保持されている。リールユニット１０の上部には、リール装置１５ａ〜１５ｃを、メイン制御装置２０や電源装置２４と接続する配線を中継するリール中継基板２３が配設される。３つのリール装置１５ａ〜１５ｃの構成は基本的に共通であるため、以下では、まず、左リール９ａに係るリール装置１５ａの構成を説明し、他のリール９ｂ，９ｃに係るリール装置１５ｂ，１５ｃについては、左リール９ａに係るリール装置１５ａとの相違点のみを説明する。
【００２０】
図４は、左リール９ａを回転させるリール装置１５ａの右側面図である。かかるリール装置１５ａは、左リール９ａと、リールユニット１０に固定的に配設されて左リール９ａを回転可能に保持するベース部材１３と、ベース部材１３に固定されて左リール９ａを回転駆動するリールモータ１４とを備えてなる。
【００２１】
図３，４に示すように、左リール９ａは、車輪状のリールフレーム２５と、該リールフレーム２５に貼着されるリールシール２７ａとを備えてなる。リールフレーム２５は、透明樹脂の成形品であり、リールモータ１４の回転軸に固定される中央の回転軸部２６と、リールシール２７ａが貼付される外周部２８と、回転軸部２６から放射状に伸長して回転軸部２６と外周部２８とを連繋する連繋部２９とからなる。図３では図示を省略しているが、リールシール２７ａは、２１コマの図柄が長手方向に沿って印刷された帯状シールであり、リールフレーム２５の外周部２８に沿って円筒状に貼付される。また、リールフレーム２５には、外周部２８の内方に、左リール９ａの回転位置を検知するための基準位置指標部１６ａが配設される。かかる基準位置指標部１６ａは、着色透明の樹脂フィルムによって構成されており、左リール９ａの回転時に、左リール９ａと一体となって回転する。
【００２２】
リールモータ１４は、左右方向の回転軸を中心に左リール９ａを回転駆動することで、表示窓４において、左リール９ａの外周面の図柄１２を上から下に移動表示させる。このリールモータ１４は、基本ステップ角度単位で左リール９ａの回転角度を制御可能なステッピングモータであり、その基本ステップ角度は約１．４°（３６０°／２５２ステップ）である。
【００２３】
中リール９ｂ及び右リール９ｃに係るリール装置１５ｂ，１５ｃの構成は、左リール９ａに係るリール装置１５ａと略同じであり、図３に示すように、３つのリール装置１５ａ〜１５ｃは、各リール９ａ〜９ｃの回転軸を左右方向に連続させるようにして一列に配列される。３つのリール装置１５ａ〜１５ｃでは、各リール９ａ〜９ｃのリールシール２７ａ〜２７ｃの図柄配列が相違している。また、３つのリール装置１５ａ〜１５ｃでは、各リール９ａ〜９ｃの基準位置指標部１６ａ〜１６ｃの色が相違している。具体的には、左リール９ａに係る基準位置指標部１６ａが、シアン色の透明樹脂フィルムによって構成されるのに対し、中リール９ｂに係る基準位置指標部１６ｂは、マゼンタ色の透明樹脂フィルムによって構成され、右リール９ｃに係る基準位置指標部１６ｃは、黄色の透明樹脂フィルムによって構成される。
【００２４】
図５に示すように、リールユニット１０は、筐体２の背板２ａに係脱可能に取り付けられる。具体的には、筐体２の背板２ａの所定位置には、２つの係合穴３１が貫通状に設けられており、リールユニット１０の背面側に形成されたフック３２を、係合穴３１にそれぞれ係合させることで、リールユニット１０が筐体２の背板２ａに係止される。
【００２５】
図５に示すように、筐体２の右側板２ｃの内側には、基準位置検知用光源３５が着脱可能に螺着される。また、筐体２の左側板２ｂの内側には、基板上にカラーセンサ３７を具備する基準位置検知装置３６が螺着される。基準位置検知用光源３５は、赤色、緑色、青色の光で発光する３種類のＬＥＤ（発光ダイオード）を内蔵し、各発光ダイオードが発する３色の光を合成してなる白色の照射光Ｌ１を、一方向に照射するものである。かかる白色の照射光Ｌ１は、各リール９ａ〜９ｃの位置検知に用いられる基準位置検知用照射光である。基準位置検知用光源３５は、基準位置検知用照射光Ｌ１を左方に照射するように取り付けられ、基準位置検知装置３６は、基準位置検知用照射光Ｌ１をカラーセンサ３７で受光するように、基準位置検知用光源３５と左右に対向する位置に取り付けられる。
【００２６】
図６に示すように、本実施例では、リールユニット１０と基準位置検知用光源３５と基準位置検知装置３６とを筐体２に取り付けた状態で、３つのリール９ａ〜９ｃの配列の右端側に基準位置検知用光源３５が位置し、３つのリール９ａ〜９ｃの配列の左端側に基準位置検知装置３６が位置している。そして、基準位置検知用照射光Ｌ１は、リール９ａ〜９ｃの配列の右端側から左端側に向けて照射され、各リール９ａ〜９ａの内部を貫通した後の基準位置検知用照射光Ｌ１を、カラーセンサ３７が受光するよう構成されている。基準位置検知用照射光Ｌ１は、図４に示すように、各リール９ａ〜９ｃの奥側下部を左右方向に貫通するよう照射されるため、各リール９ａ〜９ｃの回転に伴って、各リール９ａ〜９ｃの連繋部２９と基準位置指標部１６ａ〜１６ｃが、基準位置検知用照射光Ｌ１の経路を垂直に横切ることとなる。
【００２７】
各リール９ａ〜９ｃは、外周面に配された２１コマの図柄１２のうち、所定の１つの図柄１２が正面となる回転位置が基準位置Ｐと規定されている。そして、各リール９ａ〜９ｃが基準位置Ｐにある時には、当該リール９ａ〜９ｃの基準位置指標部１６ａ〜１６ｃが基準位置検知用照射光Ｌ１の経路に配置され、基準位置Ｐ以外の回転位置（以下、非基準位置Ｑという。）にある時には、当該リール９ａ〜９ｃの基準位置指標部１６ａ〜１６ｃが基準位置検知用照射光Ｌ１の経路から退避するよう構成されている。上述のように、基準位置指標部１６ａ〜１６ｃは、着色透明の樹脂フィルムからなるものであり、各リール９ａ〜９ｃが基準位置Ｐにある時は、当該リール９ａ〜９ｃの基準位置指標部１６ａ〜１６ｃが、基準位置検知用照射光Ｌ１の一部の帯域を減衰させるフィルタとして機能する。なお、リールフレーム２５は、基準位置検知用照射光Ｌ１の全ての帯域を減衰させずに透過させる無色透明の樹脂で形成されているため、連繋部２９が基準位置検知用照射光Ｌ１の経路に位置している場合でも、当該連繋部２９によって基準位置検知用照射光Ｌ１が減衰することはない。すなわち、各リール９ａ〜９ｃが非基準位置Ｑにある時は、当該リール９ａ〜９ｃによって基準位置検知用照射光Ｌ１が減衰することはない。
【００２８】
本実施例では、基準位置指標部１６ａ〜１６ｃは、リール９ａ〜９ｃ毎に異なる色の透明樹脂フィルムで構成されているため、リール９ａ〜９ｃ毎に基準位置検知用照射光Ｌ１の異なる帯域を、他の基準位置指標部１６ａ〜１６ｃよりも大きく減衰させる。具体的には、左リール９ａのシアン色の基準位置指標部１６ａは、基準位置検知用照射光Ｌ１の赤色成分（赤色光の帯域）を大きく減衰させて、緑色成分（緑色光の帯域）や青色成分（青色光の帯域）を減衰させずに透過させる。また、中リール９ｂのマゼンタ色の基準位置指標部１６ｂは、基準位置検知用照射光Ｌ１の緑色成分を大きく減衰させて、赤色成分や青色成分を減衰させずに透過させる。そして、右リール９ｃの黄色の基準位置指標部１６ｃは、基準位置検知用照射光Ｌ１の青色成分を大きく減衰させて、赤色成分や緑色成分を減衰させずに透過させる。
【００２９】
このように、基準位置指標部１６ａ〜１６ｃは、基準位置検知用照射光Ｌ１の透過特性がリール９ａ〜９ｃ毎に相違しているため、基準位置Ｐにあるリール９ａ〜９ｃの組合せ毎に、カラーセンサ３７が受光する基準位置検知用照射光Ｌ１の分光分布が相違することとなる。具体的には、図７に示すように、全てのリール９ａ〜９ｃが非基準位置Ｑにある場合は、基準位置検知用照射光Ｌ１は減衰することなくリールユニット１０を通過して、カラーセンサ３７に照射される。一方、３つのリール９ａ〜９ｃのうち、いずれか１つが基準位置Ｐにある場合は、基準位置検知用照射光Ｌ１は、基準位置Ｐにあるリール９ａ〜９ｃの種類によって、赤色、緑色、青色のいずれかの１つの成分が減衰することとなる。このため、かかる場合は、カラーセンサ３７には、シアン色（緑色＋青色）、マゼンタ色（赤色＋青色）、黄色（赤色＋緑色）のいずれかの色の基準位置検知用照射光Ｌ１が照射される。
【００３０】
また、３つのリール９ａ〜９ｃのうち、いずれか２つが基準位置Ｐにある場合は、基準位置検知用照射光Ｌ１は、基準位置Ｐにあるリール９ａ〜９ｃの種類によって、赤色、緑色、青色のいずれかの２つの成分が減衰することとなる。このため、かかる場合は、カラーセンサ３７には、赤色、緑色、青色のいずれかの色の基準位置検知用照射光Ｌ１が照射される。そして、全てのリール９ａ〜９ｃが基準位置Ｐにある場合は、基準位置検知用照射光Ｌ１は、赤色、緑色、青色の全ての成分が減衰することとなり、カラーセンサ３７には、微弱な基準位置検知用照射光Ｌ１が照射される。
【００３１】
基準位置検知装置３６は、メイン制御装置２０とリード線を介して直接接続されており（図８参照）、カラーセンサ３７が受光する基準位置検知用照射光Ｌ１に基づいて、各リール９ａ〜９ｃが基準位置Ｐにあるか否かを示す基準位置検知信号をメイン制御装置２０に出力する。具体的には、カラーセンサ３７は、受光する基準位置検知用照射光Ｌ１の赤色成分を検知するフォトダイオードと、緑色成分を検知するフォトダイオードと、青色成分を検知するフォトダイオードとを備えており、受光する基準位置検知用照射光Ｌ１の強度を、赤色、緑色、青色の成分毎に示す色信号を出力する。すなわち、カラーセンサ３７は、受光する基準位置検知用照射光Ｌ１の、赤色、緑色、青色の各成分が減衰しているか否かによって、異なる態様の色信号を出力する。そして、基準位置検知装置３６の基板に配設された基準位置検知信号生成回路３８が、当該色信号に基づいて、各リール９ａ〜９ｃが基準位置Ｐにあるか否かを示す基準位置検知信号を、メイン制御装置２０に出力する。
【００３２】
基準位置検知信号は、左リール９ａの位置に係る左基準位置検知信号と、中リール９ｂの位置に係る中基準位置検知信号と、右リール９ｃの位置に係る右基準位置検知信号とからなる。基準位置検知信号生成回路３８は、カラーセンサ３７の色信号が示す赤色成分の強度が、所定閾値以上である場合は左基準位置検知信号をＯＦＦに、所定閾値未満である場合は左基準位置検知信号をＯＮにする。また、基準位置検知信号生成回路３８は、カラーセンサ３７の色信号が示す緑色成分の強度が、所定閾値以上である場合は中基準位置検知信号をＯＦＦに、所定閾値未満である場合は中基準位置検知信号をＯＮにする。そして、基準位置検知信号生成回路３８は、カラーセンサ３７の色信号が示す青色成分の強度が、所定閾値以上である場合は右基準位置検知信号をＯＦＦに、所定閾値未満である場合は右基準位置検知信号をＯＮにする。なお、基準位置検知信号は、基準位置検知装置３６からメイン制御装置２０へパラレル信号として出力してもよいし、シリアル信号として出力してもよい。
【００３３】
かかる構成によれば、図７に示すように、左リール９ａが非基準位置Ｑにある場合には、基準位置検知用照射光Ｌ１の赤色成分が減衰せず、カラーセンサ３７の色信号が示す赤色成分が所定閾値以上となることで、左基準位置検知信号がＯＦＦになる。そして、左リール９ａが基準位置Ｐにある場合には、基準位置検知用照射光Ｌ１の赤色成分が左リール９ａの基準位置指標部１６ａで減衰して、カラーセンサ３７の色信号が示す赤色成分が所定閾値未満となることで、左基準位置検知信号がＯＮになる。
【００３４】
同様に、中リール９ｂが非基準位置Ｑにある場合には、基準位置検知用照射光Ｌ１の緑色成分が減衰せず、カラーセンサ３７の色信号が示す緑色成分が所定閾値以上となることで、中基準位置検知信号がＯＦＦになる。そして、中リール９ｂが基準位置Ｐにある場合には、基準位置検知用照射光Ｌ１の緑色成分が中リール９ｂの基準位置指標部１６ｂで減衰して、カラーセンサ３７の色信号が示す緑色成分が所定閾値未満となることで、中基準位置検知信号がＯＮになる。
【００３５】
また、右リール９ｃが非基準位置Ｑにある場合には、基準位置検知用照射光Ｌ１の青色成分が減衰せず、カラーセンサ３７の色信号が示す青色成分が所定閾値以上となることで、右基準位置検知信号がＯＦＦになる。そして、右リール９ｃが基準位置Ｐにある場合には、基準位置検知用照射光Ｌ１の青色成分が右リール９ｃの基準位置指標部１６ｃで減衰して、カラーセンサ３７の色信号が示す青色成分が所定閾値未満となることで、右基準位置検知信号がＯＮになる。
【００３６】
メイン制御装置２０は、基準位置検知装置３６から受信する基準位置検知信号を利用して、リール９ａ〜９ｃの回転を制御する。詳述すると、メイン制御装置２０は、スロットマシン１のゲームの進行に関する制御を主に実行するものであり、スタートレバー６の操作を契機として、リールモータ１４によって３つのリール９ａ〜９ｃを回転駆動し、ストップボタン７ａ〜７ｃの操作を契機として、各リール９ａ〜９ｃの回転を停止させる。ここで、３つのストップボタン７ａ〜７ｃは、各リール９ａ〜９ｃに個別に対応付けられている。すなわち、メイン制御装置２０は、左側の左ストップボタン７ａが操作されると左リール９ａの回転を停止させ、中央の中ストップボタン７ｂが操作されると中リール９ｂの回転を停止させ、右側の右ストップボタン７ｃが操作されると右リール９ｃの回転を停止させるよう構成されている。
【００３７】
図８に示すように、各リール９ａ〜９ｃのリールモータ１４は、リール中継基板２３を介してメイン制御装置２０と接続されており、メイン制御装置２０から駆動パルス信号を１回受信する度にリール９ａ〜９ｃを１ステップ（約１．４°）回転させる。すなわち、メイン制御装置２０は、各リールモータ１４に送信する駆動パルス信号の数によって、各リール９ａ〜９ｃの回転角度を制御可能となっている。
【００３８】
メイン制御装置２０は、リール９ａ〜９ｃの回転中に、基準位置検知装置３６から受信する基準位置信号と、リールモータ１４へ送信した駆動パルス信号の数に基づいて、各リール９ａ〜９ｃの回転位置を判定する。具体的には、メイン制御装置２０は、左リール９ａの回転位置を確認するためのカウンタを備え、左リール９ａに係るリールモータ１４に駆動パルス信号を１回送信する度に当該カウンタの値に１を加算し、左基準位置信号がＯＦＦからＯＮに切り替わった時に、当該カウンタを「０」にリセットする。かかる構成とすれば、左リール９ａに係るカウンタの値が、左リール９ａの回転位置を反映したものとなるため、メイン制御装置２０は、当該カウンタの値を参照することで、左リール９ａを所要の回転位置に停止させることが可能となる。そして、メイン制御装置２０は、中リール９ｂ及び右リール９ｃについても、左リール９ａと同様の処理を行うことで、全てのリール９ａ〜９ｃの回転位置を判定する。
【００３９】
以上のように、本実施例では、３つのリール９ａ〜９ｃの回転位置を、一組の基準位置検知用光源３５とカラーセンサ３７によって検知できる。このため、本実施例は、回転位置を検知するためのセンサがリール毎に配設される従来構成に比べて、リール９ａ〜９ｃの回転位置検知に係る回路や配線を集約して簡素化できるという利点がある。具体的には、従来構成であれば、３つのリール９ａ〜９ｃのベース部材１３に１個ずつセンサを配設する必要があるが、本実施例では、リール９ａ〜９ｃの配列の一端側にカラーセンサ３７を１個配設するだけで足りる。このため、本実施例のスロットマシン１によれば、従来構成に比べて部品点数を削減でき、また、センサに接続する信号線や電源ライン、コネクタの数を削減できる。特に、リール９ａ〜９ｃの位置検知に係る配線は、断線が発生するとメイン制御装置２０が遊技制御を続行不能となる遊技制御に必須な配線である。また、かかる配線の断線は、遊技中でなければ発見できず、また、センサの故障との判別も難しいため、点検での発見が困難で、修理時の手間も大きい。このように、リール９ａ〜９ｃの位置検知に係る配線は、遊技制御に必須であり、かつ、断線の発見が困難で、修理の手間も大きい重要な配線であるため、本実施例のように、かかる配線を集約して断線のリスクを低減すれば、従来構成に比べて大きな効果が得られる。
【００４０】
また、リール９ａ〜９ｃの回転位置検知に係るセンサを従来構成のようにリール９ａ〜９ｃの内部に配設すると、配線の取り回しが複雑になり、また、リールモータ１４の熱によるセンサの誤作動も懸念される。これに対して、本実施例では、カラーセンサ３７がリール９ａ〜９ｃの外部に配設されているため、従来構成に比べて配線の取り回しが容易であり、リールモータ１４の熱によってセンサが誤作動するおそれもない。
【００４１】
また、本実施例では、各リール９ａ〜９ｃが、ベース部材１３に回転可能に保持されてリールユニット１０として一体化され、リールユニット１０ごと筐体２に装着されるのに対して、基準位置検知用光源３５と基準位置検知装置３６は、リールユニット１０とは独立して筐体２に装着される。このように、本実施例では、リールユニット１０と、基準位置検知用光源３５と、基準位置検知装置３６とが、夫々独立して筐体２に着脱可能に配設されるため、本実施例では、基準位置検知用光源３５と基準位置検知装置３６を筐体２に取り付けたまま、リール９ａ〜９ｃを筐体２から取り外して、再装着できる。また、図８に示すように、基準位置検知用光源３５及び基準位置検知装置３６に係る配線は、リールユニット１０で中継されることなくメイン制御装置２０と接続されているため、リール９ａ〜９ｃの着脱に際して、基準位置検知用光源３５と基準位置検知装置３６の配線を取り外すことも不要である。リール９ａ〜９ｃは、交換修理やリサイクルの際に取り外される頻度が高い部品であるが、このように、本実施例では、リール９ａ〜９ｃの着脱の際に、リール９ａ〜９ｃの回転位置検知に係る部品や配線の着脱が不要であるため、リール９ａ〜９ｃの着脱作業が容易であり、また、基準位置検知用光源３５や基準位置検知装置３６の配線に不具合が生じ難いという利点がある。
【００４２】
また、本実施例では、リール９ａ〜９ｃの回転時に、各リール９ａ〜９ｃの連繋部２９が、基準位置検知用照射光Ｌ１の経路を横切ることとなる。しかしながら、連繋部２９（リールフレーム２５）は、基準位置検知用照射光Ｌ１の赤色成分、緑色成分、及び青色成分を減衰させない無色透明の樹脂で形成されているため、連繋部２９が基準位置検知用照射光Ｌ１の経路を横切る際に、カラーセンサ３７が出力する色信号が変動することはない。このため、かかる構成によれば、カラーセンサ３７によってリール９ａ〜９ｃの回転位置を容易に検知可能となる。
【００４３】
次に、ストップボタン７ａ〜７ｃの位置検知に係る構成について説明する。
図９に示すように、３つのストップボタン７ａ〜７ｃは、ストップボタンユニット４０に組み込まれて一体化された状態で、前扉３の正面の開口部５０に取り付けられる。ストップボタンユニット４０は、前扉３の開口部５０に嵌着されるベゼル４１を備えている。図１０に示すように、ベゼル４１には、楕円形状をなす３つの開口孔５２が横並びに形成されており、ストップボタン７ａ〜７ｃを個別に移動可能に保持する３つのボタン装置４２ａ〜４２ｃが、各開口孔５２に１つずつ嵌め込まれる。３つのボタン装置４２ａ〜４２ｃの構成は基本的に共通であるため、以下では、まず、左ストップボタン７ａを保持する左ボタン装置４２ａの構成を説明し、中ストップボタン７ｂを保持する中ボタン装置４２ｂと、右ストップボタン７ｃを保持する右ボタン装置４２ｃについては、左ボタン装置４２ａとの相違点のみを説明する。
【００４４】
図１０に示すように、左ボタン装置４２ａは、ベゼル４１の左側の開口孔５２に内嵌保持される楕円筒形状のボタンホルダ４３を備えており、図１１に示すように、該ボタンホルダ４３の内部に左ストップボタン７ａが前後方向に摺動可能に保持される。ボタンホルダ４３の内部にはコイルバネ４５が配設されており、左ストップボタン７ａは、該コイルバネ４５によって前方に付勢される。図１１（ａ）に示すように、左ストップボタン７ａは、前扉３の前面に所定量突出する非操作位置Ｓまで前方に進出すると、後端部に形成された係止爪４７とボタンホルダ４３の内壁との係合により、非操作位置Ｓより前方には進出しないよう係止される。
【００４５】
また、図１１（ｂ）に示すように、左ストップボタン７ａをコイルバネ４５の付勢力に抗して後方に押し込んで、前扉３に殆ど埋没する操作位置Ｒまで移動させると、左ストップボタン７ａの前端外周部４８とボタンホルダ４３の内壁との当接により、操作位置Ｒより後方には押し込み得ないよう係止される。すなわち、左ストップボタン７ａは、通常は、コイルバネ４５によって非操作位置Ｓに付勢されており、コイルバネ４５の付勢力に抗して押圧操作することで、非操作位置Ｓから操作位置Ｒまで移動させ得るよう構成されている。
【００４６】
左ストップボタン７ａは半透明の樹脂材料で構成されており、ボタンホルダ４３の内部には、左ストップボタン７ａを裏側から照らすボタンランプ４４が配設される。ボタンランプ４４は基板上にＬＥＤを配設してなるものである。なお、ボタンホルダ４３は、ボタンランプ４４の光が周囲に漏れないように不透明の樹脂材料で構成される。
【００４７】
また、図１１に示すように、左ストップボタン７ａには、左ストップボタン７ａの位置を検知するための操作位置指標部４６ａが配設される。操作位置指標部４６ａは、着色透明の樹脂板片からなるものであり、一方の係止爪４７の後端部に外嵌して、左ストップボタン７ａの後方に突出している。この操作位置指標部４６ａは、左ストップボタン７ａと一体となってボタンホルダ４３に対して前後移動し、左ストップボタン７ａの非操作位置Ｓでは、ボタンホルダ４３の内部に退避しているが、左ストップボタン７ａの操作位置Ｒでは、ボタンホルダ４３の後端よりも後方に突出するよう構成される。
【００４８】
中ボタン装置４２ｂと右ボタン装置４２ｃの構成は、左ボタン装置４２ａと略同じであり、図１２に示すように、３つのボタン装置４２ａ〜４２ｃは、ストップボタン７ａ〜７ｃを左右方向に一列に配列させるようにベゼル４１に配設される。３つのボタン装置４２ａ〜４２ｃは、操作位置指標部４６ａ〜４６ｃの色のみが相違しており、その他の構成は共通である。具体的には、左ストップボタン７ａの操作位置指標部４６ａが、シアン色の透明樹脂板片によって構成されるのに対し、中ストップボタン７ｂの位置指標部４６ｂは、マゼンタ色の透明樹脂板片によって構成され、右ストップボタン７ｃの操作位置指標部４６ｃは、黄色の透明樹脂板片によって構成される。
【００４９】
図１０に示すように、ベゼル４１の背面側には、右側に操作位置検知用光源５５が配設され、左側に操作位置検知装置５６が配設される。操作位置検知用光源５５は、基準位置検知用光源３５と同じ構成を有しており、白色の照射光Ｌ２を照射する。かかる白色の照射光Ｌ２は、各ストップボタン７ａ〜７ｃの位置検知に用いられる操作位置検知用照射光である。操作位置検知用光源５５は、操作位置検知用照射光Ｌ２を左方に照射するようにベゼル４１に取り付けられる。操作位置検知装置５６は、基準位置検知装置３６と同じ構成を有しており、基板上に配設されたカラーセンサ５７で操作位置検知用照射光Ｌ２を受光するように、操作位置検知用光源５５と左右に対向する位置に取り付けられる。
【００５０】
図１２に示すように、ストップボタンユニット４０においては、３つのストップボタン７ａ〜７ｃの配列の右端側に操作位置検知用光源５５が、３つのストップボタン７ａ〜７ｃの配列の左端側に操作位置検知装置５６が夫々位置している。そして、操作位置検知用照射光Ｌ２は、ストップボタン７ａ〜７ｃの配列の左端側から右端側に向けて照射され、各ボタンホルダ４３の後方を通過した後で、カラーセンサ５７に受光されるよう構成されている。
【００５１】
ここで、図１２（ｂ），１２（ｃ）に示すように、各ストップボタン７ａ〜７ｃは、操作位置Ｒにおいて、操作位置指標部４６ａ〜４６ｃが操作位置検知用照射光Ｌ２の経路を垂直に横切って当該経路に配置され、非操作位置Ｓにおいて、操作位置指標部４６ａ〜４６ｃが操作位置検知用照射光Ｌ２の経路から退避するよう構成される。そして、各操作位置指標部４６ａ〜４６ｃは、光の透過特性の相違によって、夫々異なる帯域を減衰させるフィルタとして機能する。具体的には、左ストップボタン７ａのシアン色の操作位置指標部４６ａは、操作位置検知用照射光Ｌ２の赤色成分を減衰させる。また、中ストップボタン７ｂのマゼンタ色の操作位置指標部４６ｂは、操作位置検知用照射光Ｌ２の緑色成分を減衰させる。そして、右ストップボタン７ｃの黄色の操作位置指標部４６ｃは、操作位置検知用照射光Ｌ２の青色成分を減衰させる。
【００５２】
このように、本実施例では、操作位置検知用照射光Ｌ２の透過特性が各ストップボタン７ａ〜７ｃの操作位置指標部４６ａ〜４６ｃで異なっているため、図１３に示すように、操作位置Ｒにあるストップボタン７ａ〜７ｃの組合せによって、カラーセンサ５７が受光する操作位置検知用照射光Ｌ２の分光分布が相違することとなり、当該組合せ毎に異なる色信号がカラーセンサ５７から出力される。そして、操作位置検知装置５６は、メイン制御装置２０とリード線を介して直接接続されており（図１４参照）、カラーセンサ５７が受光する操作位置検知用照射光Ｌ２に基づいて、各ストップボタン７ａ〜７ｃが操作位置Ｒにあるか否かを示す操作位置検知信号をメイン制御装置２０に出力する。具体的には、操作位置検知装置５６の基板に配設された操作位置検知信号生成回路５８が、カラーセンサ５７が出力する色信号に基づいて、各ストップボタン７ａ〜７ｃが基準位置Ｐにあるか否かを示す操作位置検知信号を、メイン制御装置２０に出力する。カラーセンサ５７、操作位置検知信号生成回路５８、操作位置検知信号の構成は、基準位置検知装置３６に係るカラーセンサ３７、基準位置検知信号生成回路３８、基準位置検知信号の構成に夫々準ずるものであるため、図１３において、カラーセンサ５７の受光する光と、操作位置検知信号の出力との関係を示して、詳細な説明は省略する。
【００５３】
図１４に示すように、メイン制御装置２０は、リード線を介して操作位置検知装置５６と直接接続されるとともに、中継基板５４を介して各ボタン装置４２ａ〜４２ｃのボタンランプ４４と接続される。メイン制御装置２０は、ストップボタン７ａ〜７ｃの操作が有効な状態では、有効なストップボタン７ａ〜７ｃに係るボタンランプ４４にボタン発光信号を出力して、有効なストップボタン７ａ〜７ｃを点灯させる。また、メイン制御装置２０は、有効なストップボタン７ａ〜７ｃが操作位置Ｒにあることを示す操作位置検知信号を操作位置検知装置５６から受信した場合は、当該ストップボタン７ａ〜７ｃが操作されたと判定する。そして、当該ストップボタン７ａ〜７ｃに対応するリール９ａ〜９ｃの停止位置を決定し、当該リール９ａ〜９ｃを当該停止位置で停止させる。
【００５４】
以上のように、本実施例では、３つのストップボタン７ａ〜７ｃの位置を、一組の操作位置検知用光源５５とカラーセンサ５７によって検知できる。このため、位置を検知するためのセンサがストップボタン毎に配設される従来構成に比べて、本実施例は、ストップボタン７ａ〜７ｃの位置検知に係る回路や配線を集約して簡素化できるという利点がある。具体的には、従来構成であれば、３つのストップボタン７ａ〜７ｃのボタンホルダ４３に１個ずつセンサを配設する必要があるところ、本実施例では、ストップボタン７ａ〜７ｃの配列の一端側にカラーセンサ５７を１個配設するだけで足りる。このため、本実施例のスロットマシン１によれば、従来構成に比べて部品点数を削減でき、また、センサに接続する信号線や電源ライン、コネクタの数を削減できる。特に、ボタンランプ４４に係る配線等は、断線が生じても遊技を継続可能であるが、ストップボタン７ａ〜７ｃの操作検知に係る配線は、断線が発生するとメイン制御装置２０が遊技制御を続行不能となる遊技制御に必須な配線である。また、かかる配線の断線は、遊技中でなければ発見できず、また、センサの故障との判別も難しいため、点検での発見が困難で、修理時の手間も大きい。このように、ストップボタン７ａ〜７ｃの操作検知に係る配線は、遊技制御に必須であり、かつ、断線の発見が困難で、修理の手間も大きい重要な配線であるため、本実施例のように、かかる配線を集約して断線のリスクを低減すれば、従来構成に比べて大きな効果が得られる。
【００５５】
なお、本発明の遊技機は、上記実施例の形態に限らず本発明の要旨を逸脱しない範囲内において種々変更を加えることができる。
【００５６】
例えば、図１５は、上記実施例から、リールフレーム２５の構成を変更した変形例の左リール９ｄである。かかる変形例の左リール９ｄでは、リールフレーム２５ａの連繋部２９ａが円板状をなしている。そして、連繋部２９ａの、基準位置検知用照射光Ｌ１の経路を横切る部分には、放射方向の断面が膨隆形状をなす集光部１７が回転方向に沿って形成される。上記実施例と同様に、リールフレーム２５ａは、基準位置検知用照射光Ｌ１を減衰させない透明樹脂で形成されるため、かかる集光部１７は、基準位置検知用照射光Ｌ１を減衰させることはないが、基準位置検知用照射光Ｌ１が通過する際にレンズとして機能して、基準位置検知用照射光Ｌ１をカラーセンサ３７に向けて集束させる。また、かかる変形例では、連繋部２９ａに組み込まれた基準位置指標部１６ｄが、集光部１７と同様に放射方向の断面が膨隆形状をなす樹脂板片で形成される。かかる基準位置指標部１６ｄは、左リール９ｄが基準位置にある状態で、基準位置検知用照射光Ｌ１の経路に配置されて、基準位置検知用照射光Ｌ１の赤色成分を減衰させるとともに、赤色成分以外の基準位置検知用照射光Ｌ１をレンズ作用によって、基準位置検知用照射光Ｌ１をカラーセンサ３７に向けて集束させる。このように、かかる変形例では、連繋部２９ａ及び基準位置指標部１６ｄが、透過する基準位置検知用照射光Ｌ１をカラーセンサ３７に向けて集束させ得る膨隆形状をなしているため、基準位置検知用照射光Ｌ１の強度が、塵埃等の外部要因によって低下するのを抑制できる。なお、本変形例に係る左リール９ｄの構成は、中リールや右リールにも適用可能である。
【００５７】
また、上記実施例は、本発明をスロットマシンに適用したものであるが、本発明は、スロットマシンに限らずパチンコ機などの遊技機にも適用可能である。
【００５８】
また、上記実施例は、リール９ａ〜９ｃと、ストップボタン７ａ〜７ｃの夫々に本発明を適用したものであるが、本発明は、演出用のリールにも適用可能であるし、ストップボタン以外の操作ボタンにも適用可能であり、さらには、リールや操作ボタンに限らず、一列に配列される複数の可動役物にも適用可能である。また、上記実施例では、本発明に係る可動物（リール９ａ〜９ｃ、ストップボタン７ａ〜７ｃ）の数がいずれも３つであるが、本発明に係る可動物の数は、２つであってもよいし、４つ以上であってもよい。また、上記実施例では、リール９ａ〜９ｃやストップボタン７ａ〜７ｃの位置をメイン制御装置２０が最終的に検知しているが、本発明に係る可動物の位置は、サブ制御装置２１等の他の制御装置が検知するものであってもよい。
【００５９】
また、上記実施例では、基準位置検知用光源３５や操作位置検知用光源５５の照射光Ｌ１，Ｌ２は、ＬＥＤが発する光であるが、本発明に係る光源の照射光は、半導体レーザー素子や白熱電球の光であってもかまわないし、可視光に限られず、赤外光や紫外光であっても構わない。
【００６０】
また、上記実施例では、基準位置指標部１６ａ〜１６ｃや操作位置指標部４６ａ〜４６ｃは、減衰させる光の帯域が相違しているが、本発明に係る指標部は、特定帯域の光に対する透過率が相違するものであっても構わない。かかる構成とした場合には、当該特定帯域の光の強度に応じて異なる態様の信号を出力する光センサを配設すればよい。
【００６１】
また、上記実施例では、基準位置検知用光源３５やカラーセンサ３７が、リールユニット１０の外部に配設されているが、本発明に係る光源や光センサは、リール９ａ〜９ｃの内側に配設することも可能である。
【００６２】
また、上記実施例では、カラーセンサ３７，５７の色信号を、基準位置検知信号や操作位置検知信号に変換してからメイン制御装置２０に出力しているが、カラーセンサ３７，５７の色信号をメイン制御装置２０に直接出力し、メイン制御装置２０において、当該色信号に基づいてリール９ａ〜９ｃやストップボタン７ａ〜７ｃの位置を判定するようにしてもよい。また、上記実施例では、基準位置検知装置３６や操作位置検知装置５６が、メイン制御装置２０とリード線で直接接続されているが、これらの接続は中継基板を介したものであってもよい。
【００６３】
また、上記実施例では、リールフレーム２５の全体が、基準位置検知用照射光Ｌ１を減衰させない樹脂材料で形成されているが、基準位置検知用照射光Ｌ１の経路に配置され得る部分のみを、基準位置検知用照射光Ｌ１を減衰させない樹脂材料で形成するようにしてもよい。また、リールフレーム２５は、基準位置検知用照射光Ｌ１を完全に減衰させないものに限らず、基準位置指標部１６ａ〜１６ｃと透過特性と明瞭に区別できる程度に、基準位置検知用照射光Ｌ１の減衰度合いが低いものであればよい。
【００６４】
また、上記実施例では、操作位置検知用照射光Ｌ２が、各ボタン装置４２ａ〜４２ｃのボタンホルダ４３の後方を通過しているが、ボタンホルダ４３の側面に開口部を形成して、操作位置検知用照射光Ｌ２が各ボタン装置４２ａ〜４２ｃの内部を貫通するよう構成してもよい。かかる構成を採用する場合は、操作位置指標部４６ａ〜４６ｃが、ボタンホルダ４３の内部で、操作位置検知用照射光Ｌ２の経路に配置される位置と、当該経路から退避する位置とに移動するよう構成すればよい。
【符号の説明】
【００６５】
１  スロットマシン（遊技機）
２  筐体（遊技機本体）
３  前扉（遊技機本体）
７ａ，７ｂ，７ｃ  ストップボタン（操作ボタン：可動物）
９ａ，９ｂ，９ｃ，９ｄ  リール（可動物）
１０  リールユニット
１３  ベース部材（保持部材）
１６ａ，１６ｂ，１６ｃ，１６ｄ  基準位置指標部（指標部）
１７  集光部
２０  メイン制御装置
２６  回転軸部
２８  外周部
２９，２９ａ  連繋部
３５  基準位置検知用光源（光源）
３６  基準位置検知装置
３７，５７  カラーセンサ（光センサ）
３８  基準位置検知信号生成回路
４０  ストップボタンユニット
４２ａ，４２ｂ，４２ｃ  ボタン装置
４３  ボタンホルダ（保持部材）
４５  コイルバネ（付勢手段）
４６ａ，４６ｂ，４６ｃ  操作位置指標部（指標部）
５５  操作位置検知用光源（光源）
５６  操作位置検知装置
５８  操作位置検知信号生成回路
Ｌ１  基準位置検知用照射光（光源の照射光）
Ｌ２  操作位置検知用照射光（光源の照射光）
Ｐ  基準位置（進入位置）
Ｑ  非基準位置（退避位置）
Ｒ  操作位置（進入位置）
Ｓ  非操作位置（退避位置）
【図１】
2018175446.tif 000003
【図２】
2018175446.tif 000004
【図３】
2018175446.tif 000005
【図４】
2018175446.tif 000006
【図５】
2018175446.tif 000007
【図６】
2018175446.tif 000008
【図７】
2018175446.tif 000009
【図８】
2018175446.tif 000010
【図９】
2018175446.tif 000011
【図１０】
2018175446.tif 000012
【図１１】
2018175446.tif 000013
【図１２】
2018175446.tif 000014
【図１３】
2018175446.tif 000015
【図１４】
2018175446.tif 000016
【図１５】
2018175446.tif 000017
【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
一列に配列されるとともに、個別に移動可能に配設された複数の可動物と、
前記複数の可動物の配列の一端側から他端側に向けて光を照射する光源と、
前記複数の可動物の配列の他端側に配設されて、前記光源の照射光を受光するよう配置された光センサと
を備え、
前記各可動物は、前記光源の照射光を減衰させる指標部を夫々備え、前記光源から前記光センサへの前記照射光の経路に前記指標部が配置される進入位置と、前記照射光の経路から前記指標部が退避する退避位置とに変換可能に構成されており、
前記指標部は、前記光源の前記照射光の透過特性が前記可動物毎に相違しており、
前記進入位置に位置する前記可動物の組合せ毎に、前記光センサが受光する前記照射光の分光分布が相違するよう構成されており、
前記光センサは、前記進入位置に位置する前記可動物の組合せ毎に、異なる態様の信号を出力するよう構成されていることを特徴とする遊技機。
【請求項２】
前記各可動物は、保持部材に対して移動可能に保持されており、
前記光源と、前記光センサと、前記保持部材とは、夫々独立して、前記遊技機本体に着脱可能に配設されていることを特徴とする請求項１に記載の遊技機。
【請求項３】
前記各可動物はリールであり、
該リールは、回転軸部と、外周部と、該回転軸部と該外周部を連繋する連繋部とを備えており、
前記各指標部は、前記外周部の内方に配設され、前記光源の前記照射光を、夫々の前記指標部で相違する特定帯域において、他の前記指標部よりも大きく減衰させるよう構成されており、
前記連繋部の、前記光源から前記光センサへの前記照射光の経路に配置され得る部分は、当該照射光を透過させ得る材料で形成されており、当該照射光の前記特定帯域を減衰させる度合いが、当該特定帯域を大きく減衰させる前記指標部よりも小さいことを特徴とする請求項１又は請求項２に記載の遊技機。
【請求項４】
少なくとも１つの前記リールは、前記連繋部及び前記指標部が、透過する前記照射光を集束させ得る形状をなしていることを特徴とする請求項３に記載の遊技機。
【請求項５】
前記各可動物は、操作ボタンであり、
該操作ボタンは、付勢手段によって遊技機本体の前面に突出する非操作位置に付勢されるとともに、該付勢手段の付勢力に抗して押圧操作することで、該非操作位置から所定の操作位置まで移動させ得るように配設されており、
前記操作ボタンの前記非操作位置は前記退避位置であり、前記操作ボタンの前記操作位置は前記進入位置であることを特徴とする請求項１又は請求項２に記載の遊技機。
【手続補正２】
【補正対象書類名】明細書
【補正対象項目名】００１１
【補正方法】変更
【補正の内容】
【００１１】
また、本発明にあっては、前記各可動物はリールであり、該リールは、回転軸部と、外周部と、該回転軸部と該外周部を連繋する連繋部とを備えており、前記各指標部は、前記外周部の内方に配設され、前記光源の前記照射光を、夫々の前記指標部で相違する特定帯域において、他の前記指標部よりも大きく減衰させるよう構成されており、前記連繋部の、前記光源から前記光センサへの前記照射光の経路に配置され得る部分は、当該照射光を透過させ得る材料で形成されており、当該照射光の前記特定帯域を減衰させる度合いが、当該特定帯域を大きく減衰させる前記指標部よりも小さいことが提案される。